(57)【要約】      （修正有）【課題】可視範囲を拡張できる赤外線光源スプレッダを提供する。【解決手段】赤外線レーザ光源スプレッダは、第１の両凸レンズ１０と、両凹レンズ１１と、凹凸レンズ１２と、第２の両凸レンズ１３と、を備え、赤外線レーザ光源２０からの光は、第１の両凸レンズ１０に入射するように射出され、広げられて、両凹レンズ１１に入射するように出て行き、更に、両凹レンズ１１によって更に広げると共に交差させ、その光を平行にする凹凸レンズ１２に入射するように出させて、その光を更に広げる第２の両凸レンズ１３に入射する。【選択図】図２
0003135156.tif 000002
【実用新案登録請求の範囲】
【請求項１】
赤外線レーザ光源スプレッダであって、
第１の両凸レンズと、
凹凸レンズと、
該第１の両凸レンズと該凹凸レンズとの間に配置される両凹レンズと、を備えることを特徴とする赤外線レーザ光源スプレッダ。
【請求項２】
更に、第２の両凸レンズを備え、前記凹凸レンズは、該両凹レンズと第２の両凸レンズとの間に配置されることを特徴とする請求項１に記載の赤外線レーザ光源スプレッダ。
【請求項３】
前記第１の両凸レンズは、１７．４５ｍｍから２１．１４ｍｍの範囲の第１の曲率半径と、２０．４９ｍｍから４８．４２ｍｍの範囲の第２の曲率半径と、３．３７ｍｍから３．９５ｍｍの範囲の厚みと、を有し、前記両凹レンズは、１０．１０ｍｍから１４．５５ｍｍの範囲の第１の曲率半径と、１９．９１ｍｍから４５．５４ｍｍの範囲の第２の曲率半径と、１．８５ｍｍ以上の厚みと、を有し、前記凹凸レンズは、３５．２２ｍｍから６８．３１ｍｍの範囲の第１の曲率半径と、１４．０４ｍｍから２０．４２ｍｍの範囲の第２の曲率半径と、２．２８ｍｍから３．４７ｍｍの範囲の厚みと、を有し、前記第２の両凸レンズは、４７．６３ｍｍから１５４．８５ｍｍの範囲の第１の曲率半径と、１５．１２ｍｍから２２．７５ｍｍの範囲の第２の曲率半径と、３．５０ｍｍから４．９１ｍｍ範囲の厚みと、を有し、該第１の両凸レンズと該両凹レンズとは、３．３２ｍｍから４．２０ｍｍの範囲内における距離のみ分離され、該両凹レンズと該凹凸レンズとは、２．９９ｍｍから４．５２ｍｍの範囲内における距離のみ分離され、該凹凸レンズと該第2の両凸レンズとは、１．７７ｍｍから２．４８ｍｍの範囲内における距離のみ分離されることを特徴とする請求項２に記載の赤外線レーザ光源スプレッダ。
【請求項４】
前記第１の両凸レンズは、１８．２５ｍｍの第１の曲率半径と、４１．９０ｍｍの第２の曲率半径と、３．４０ｍｍの厚みと、を有し、前記両凹レンズは、１２．５９ｍｍの第１の曲率半径と、３９．０６ｍｍの第２の曲率半径と、１．８５ｍｍの厚みと、を有し、前記凹凸レンズは、６８．３１ｍｍの第１の曲率半径と、１６．７０ｍｍの第２の曲率半径と、２．９７ｍｍの厚みと、を有し、前記第２の両凸レンズは、１５４．８５ｍｍの第１の曲率半径と、２２．７５ｍｍの第２の曲率半径と、３．５０ｍｍの厚みと、を有し、該第１の両凸レンズと該両凹レンズとは、３．３２ｍｍの距離のみ分離され、該両凹レンズと該凹凸レンズとは、２．９９ｍｍの距離のみ分離され、該凹凸レンズと該第２の両凸レンズとは、２．４８ｍｍの距離のみ分離されることを特徴とする請求項３に記載の赤外線レーザ光源スプレッダ。
【請求項５】
前記第１の両凸レンズは、１７．４５ｍｍから２１．１４ｍｍの範囲の第１の曲率半径と、２０．４９ｍｍから４８．４２ｍｍの範囲の第２の曲率半径と、３．３７ｍｍから３．９５ｍｍの範囲の厚みと、を有し、前記両凹レンズは、１０．１０ｍｍから１４．５５ｍｍの範囲の第１の曲率半径と、１９．９１ｍｍから４５．５４ｍｍの範囲の第２の曲率半径と、１．８５ｍｍ以上の厚みと、を有し、前記凹凸レンズは、３５．２２ｍｍから６８．３１ｍｍの範囲の第１の曲率半径と、１４．０４ｍｍから２０．４２ｍｍの範囲の第２の曲率半径と、２．２８ｍｍから３．４７ｍｍの範囲の厚みと、を有し、前記第２の両凸レンズは、４７．６３ｍｍから１５４．８５ｍｍの範囲の第１の曲率半径と、１５．１２ｍｍから２２．７５ｍｍの範囲の第２の曲率半径と、３．５０ｍｍから４．９１ｍｍの範囲の厚みと、を有し、該第１の両凸レンズと該両凹レンズとは、３．３２ｍｍから４．２０ｍｍの範囲の距離のみ分離され、該両凹レンズと該凹凸レンズとは、２．９９ｍｍから４．５２ｍｍの範囲の距離のみ分離され、該凹凸レンズと該第２の両凸レンズとは、１．７７ｍｍから２．４８ｍｍの範囲の距離のみ分離されることを特徴とする請求項２に記載の赤外線レーザ光源スプレッダ。
【請求項６】
前記第１の両凸レンズは、１７．４５ｍｍの第１の曲率半径と、２０．４９ｍｍの第２の曲率半径と、３．９５ｍｍの厚みと、を有し、前記両凹レンズは、１０．１０ｍｍの第１の曲率半径と、１９．９１ｍｍの第２の曲率半径と、１．８５ｍｍの厚みと、を有し、前記凹凸レンズは、３５．２２ｍｍの第１の曲率半径と、１４．０４ｍｍの第２の曲率半径と、３．４７ｍｍの厚みと、を有し、前記第２の両凸レンズは、４７．６３ｍｍの第１の曲率半径と、１５．１２ｍｍの第２の曲率半径と、４．９１ｍｍの厚みと、を有し、該第１の両凸レンズと該両凹レンズとは、３．８２ｍｍの距離のみ分離され、該両凹レンズと該凹凸レンズとは、２．９９ｍｍの距離のみ分離され、該凹凸レンズと該第２の両凸レンズとは、２．４７ｍｍの距離のみ分離されることを特徴とする請求項５に記載の赤外線レーザ光源スプレッダ。
【請求項７】
前記第１の両凸レンズは、１７．４５ｍｍから２１．１４ｍｍの範囲の第１の曲率半径と、２０．４９ｍｍから４８．４２ｍｍの範囲の第２の曲率半径と、３．３７ｍｍから３．９５ｍｍの範囲の厚みと、を有し、前記両凹レンズは、１０．１０ｍｍから１４．５５ｍｍの範囲の第１の曲率半径と、１９．９１ｍｍから４５．５４ｍｍの第２の曲率半径と、１．８５ｍｍの厚みと、を有し、前記凹凸レンズは、３５．２２ｍｍから６８．３１ｍｍの範囲の第１の曲率半径と、１４．０４ｍｍから２０．４２ｍｍの範囲の第２の曲率半径と、２．２８ｍｍから３．４７ｍｍの範囲の厚みと、を有し、前記第２の両凸レンズは、４７．６３ｍｍから１５４．８５ｍｍの範囲の第１の曲率半径と、１５．１２ｍｍから２２．７５ｍｍの範囲の第２の曲率半径と、３．５０ｍｍから４．９１ｍｍの範囲の厚みと、を有し、該第１の両凸レンズと該両凹レンズとは、３．３２ｍｍから４．２０ｍｍの範囲の距離のみ分離され、該両凹レンズと該凹凸レンズとは、２．９９ｍｍから４．５２ｍｍの範囲の距離のみ分離され、該凹凸レンズと該第２の両凸レンズとは、１．７７ｍｍから２．４８ｍｍの範囲の距離のみ分離されることを特徴とする請求項２に記載の赤外線レーザ光源スプレッダ。
【請求項８】
前記第１の両凸レンズは、２１．１４ｍｍの第１の曲率半径と、４８．４２ｍｍの第２の曲率半径と、３．３７ｍｍの厚みと、を有し、前記両凹レンズは、１４．５５ｍｍの第１の曲率半径と、４５．５４ｍｍの第２の曲率半径と、１．８５ｍｍの厚みと、を有し、前記凹凸レンズは、４０．３６ｍｍの第１の曲率半径と、２０．４２ｍｍの第２の曲率半径と、２．２８ｍｍの厚みと、を有し、前記第２の両凸レンズは、５３．５３ｍｍの第１の曲率半径と、１９．７０ｍｍの第２の曲率半径と、４．５０ｍｍの厚みと、を有し、該第１の両凸レンズと該両凹レンズとは、４．２０ｍｍの距離のみ分離され、該両凹レンズと該凹凸レンズとは、４．５２ｍｍの距離のみ分離され、該凹凸レンズと該第２の両凸レンズとは、１．７７ｍｍの距離のみ分離されることを特徴とする請求項７に記載の赤外線レーザ光源スプレッダ。
【請求項９】
前記第１の両凸レンズは、１７．４５ｍｍから２１．１４ｍｍの範囲の第１の曲率半径と、２０．４９ｍｍから４８．４２ｍｍの範囲の第２の曲率半径と、３．３７ｍｍから３．９５ｍｍの範囲の厚みと、を有し、前記両凹レンズは、１０．１０ｍｍから１４．５５ｍｍの範囲の第１の曲率半径と、１９．９１ｍｍから４５．５４ｍｍの範囲の第２の曲率半径と、１．８５ｍｍ以上の厚みと、を有し、前記凹凸レンズは、３５．２２ｍｍから６８．３１ｍｍの範囲の第１の曲率半径と、１４．０４ｍｍから２０．４２ｍｍの範囲の第２の曲率半径と、２．２８ｍｍから３．４７ｍｍの範囲の厚みと、を有し、該第１の両凸レンズと該両凹レンズとは、３．３２ｍｍから４．２０ｍｍの範囲の距離のみ分離され、該両凹レンズと該凹凸レンズとは、２．９９ｍｍから４．５２ｍｍの範囲の距離のみ分離されることを特徴とする請求項１に記載の赤外線レーザ光源スプレッダ。
【請求項１０】
前記第１の両凸レンズは、１８．２５ｍｍの第１の曲率半径と、４１．９０ｍｍの第２の曲率半径と、３．４０ｍｍの厚みと、を有し、前記両凹レンズは、１２．５９ｍｍの第１の曲率半径と、３９．０６ｍｍの第２の曲率半径と、１．８５ｍｍの厚みと、を有し、前記凹凸レンズは、６８．３１ｍｍの第１の曲率半径と、１６．７０ｍｍの第２の曲率半径と、２．９７ｍｍの厚みと、を有し、該第１の両凸レンズと該両凹レンズとは、３．３２ｍｍの距離のみ分離され、該両凹レンズと該凹凸レンズとは、２．９９ｍｍの距離のみ分離されることを特徴とする請求項９に記載の赤外線レーザ光源スプレッダ。
【請求項１１】
前記第１の両凸レンズは、１７．４５ｍｍから２１．１４ｍｍの範囲の第１の曲率半径と、２０．４９ｍｍから４８．４２ｍｍの範囲の第２の曲率半径と、３．３７ｍｍから３．９５ｍｍの範囲の厚みと、を有し、前記両凹レンズは、１０．１０ｍｍから１４．５５ｍｍの範囲の第１の曲率半径と、１９．９１ｍｍから４５．５４ｍｍの範囲の第２の曲率半径と、１．８５ｍｍからの範囲の厚みと、を有し、前記凹凸レンズは、３５．２２ｍｍから６８．３１ｍｍの範囲の第１の曲率半径と、１４．０４ｍｍから２０．４２ｍｍの範囲の第２の曲率半径と、２．２８ｍｍから３．４７ｍｍの範囲の厚みと、を有し、該第１の両凸レンズと該両凹レンズとは、３．３２ｍｍから４．２０ｍｍの範囲の距離のみ分離され、該両凹レンズと該凹凸レンズとは、２．９９ｍｍから４．５２ｍｍの範囲の距離のみ分離されることを特徴とする請求項１に記載の赤外線レーザ光源スプレッダ。
【請求項１２】
前記第１の両凸レンズは、１７．４５ｍｍの第１の曲率半径と、２０．４９ｍｍの第２の曲率半径と、３．９５ｍｍの厚みと、を有し、前記両凹レンズは、１０．１０ｍｍの第１の曲率半径と、１９．９１ｍｍの第２の曲率半径と、１．８５ｍｍの厚みと、を有し、前記凹凸レンズは、３５．２２ｍｍの第１の曲率半径と、１４．０４ｍｍの第２の曲率半径と、３．４７ｍｍの厚みと、を有し、該第１の両凸レンズと該両凹レンズとは、３．８２ｍｍの距離のみ分離され、該両凹レンズと該凹凸レンズとは、２．９９ｍｍの距離のみ分離されることを特徴とする請求項１１に記載の赤外線レーザ光源スプレッダ。
【請求項１３】
前記第１の両凸レンズは、１７．４５ｍｍから２１．１４ｍｍの範囲の第１の曲率半径と、２０．４９ｍｍから４８．４２ｍｍの範囲の第２の曲率半径と、３．３７ｍｍから３．９５ｍｍの範囲の厚みと、を有し、前記両凹レンズは、１０．１０ｍｍから１４．５５ｍｍの範囲の第１の曲率半径と、１９．９１ｍｍから４５．５４ｍｍの範囲の第２の曲率半径と、１．８５ｍｍ以上の厚みと、を有し、前記凹凸レンズは、３５．２２ｍｍから６８．３１ｍｍの範囲の第１の曲率半径と、１４．０４ｍｍから２０．４２ｍｍの範囲の第２の曲率半径と、２．２８ｍｍから３．４７ｍｍの範囲の厚みと、を有し、該第１の両凸レンズと該両凹レンズとは、３．３２ｍｍから４．２０ｍｍの範囲の距離のみ分離され、該両凹レンズと該凹凸レンズとは、２．９９ｍｍから４．５２ｍｍの範囲内の距離のみ分離されることを特徴とする請求項１に記載の赤外線レーザ光源スプレッダ。
【請求項１４】
前記第１の両凸レンズは、２１．１４ｍｍの第１の曲率半径と、４８．４２ｍｍの第２の曲率半径と、３．３７ｍｍの厚みと、を有し、前記両凹レンズは、１４．５５ｍｍの第１の曲率半径と、４５．５４ｍｍの第２の曲率半径と、１．８５ｍｍの厚みと、を有し、前記凹凸レンズは、４０．３６ｍｍの第１の曲率半径と、２０．４２ｍｍの第２の曲率半径と、２．２８ｍｍの厚みと、を有し、該第１の両凸レンズと該両凹レンズとは、４．２０ｍｍの距離のみ分離され、該両凹レンズと該凹凸レンズとは、４．５２ｍｍの距離のみ分離されることを特徴とする請求項１３に記載の赤外線レーザ光源スプレッダ。
【請求項１５】
赤外線レーザ光源を更に備え、前記第１の両凸レンズが該赤外線レーザ光源と該両凹レンズとの間に配置されることを特徴とする請求項１に記載の赤外線レーザ光源スプレッダ。
【請求項１６】
前記赤外線レーザ光源スプレッダがビデオ監視装置に設置されることを特徴とする請求項１に記載の赤外線レーザ光源スプレッダ。
【考案の詳細な説明】
【技術分野】
【０００１】
本考案は、赤外線レーザ光源スプレッダに関し、より具体的には、二つの両凸レンズと、凹凸レンズと、両凹レンズと、を使用する赤外線レーザ光源スプレッダに関するものである。
【背景技術】
【０００２】
近年、ビデオディスプレイとビデオ記録技術の進歩によって、ビデオ監視システムは、より一層使用されるようになり、更に、今日では、多くの企業と住宅において、窃盗や破壊行為を防止するため、或いは警察や裁判所などの法的執行機関を助けるためにビデオ監視装置が使用されている。尚、前記ビデオ監視システムは、ビデオカメラ、ビデオ記録装置、及びビデオディスプレイを含む。
【０００３】
従来、通常のビデオカメラは、昼光条件下で良好に働くように設計されていることから、屋外に人があまりいず、暗闇によってある程度人目から隠れることができる夜間に、窃盗や破壊行為が頻発している。このことは、ビデオカメラが、夜間において良好に働いていないことを意味している。故に、一般のビデオカメラでは、。夜間において、より鮮明な映像を得るために、可視光が大幅に減少する時、或いは可視光が利用できない他の弱光環境において、補助光源としてビデオカメラに備え付けられた発光ダイオード（以下、ＬＥＤと称す）を使用している。前記ＬＥＤは散乱光源であるため、ビデオカメラの可視範囲は、厳格に制限される。一般に、従来の技術は、約５０ｍの可視範囲を提供し、且つ従来の技術によって提供される最大の範囲は約１５０ｍである。
【考案の開示】
【考案が解決しようとする課題】
【０００４】
しかしながら、前記ＬＥＤにより得られたビデオカメラの可視範囲は、幾つかの用途の場合において不十分と言える。
【課題を解決するための手段】
【０００５】
本考案は、第１の両凸レンズ、凹凸レンズ、及び
該第１の両凸レンズと該凹凸レンズとの間に配置される両凹レンズと、該凹凸レンズの後側に位置される第２の両凸レンズを備えることを特徴とする赤外線レーザ光源スプレッダを提供する。
【０００６】
本考案のこれら及び他の目的は、種々の図及び図面に描かれる好適な実施の形態について、以下の詳細な説明を読んだ後、当業者にとって明らかになることは疑わない。
【考案を実施するための最良の形態】
【０００７】
図１は本考案に係る赤外線レーザ光源スプレッダの図であり、図２は本考案に係る赤外線レーザ光源スプレッダの機能図である。図１に示すように、この赤外線レーザ光源スプレッダは、第１の両凸レンズ１０、両凹レンズ１１、凹凸レンズ１２、及び第２の両凸レンズ１３を備える。本考案の第１実施例では、前記第１の両凸レンズ１０は、１７．４５ｍｍから２１．１４ｍｍの範囲、好ましくは１８．２５ｍｍの第１の曲率半径Ｒ１０１と、２０．４９ｍｍから４８．４２ｍｍの範囲、好ましくは４１．９０ｍｍの第２の曲率半径Ｒ１０２と、３．３７ｍｍから３．９５ｍｍの範囲、好ましくは３．４０ｍｍの厚みｄ１０と、を有する。前記両凹レンズ１１は、１０．１０ｍｍから１４．５５ｍｍの範囲、好ましくは１２．５９ｍｍの第１の曲率半径Ｒ１１１と、１９．９１ｍｍから４５．５４ｍｍの範囲、好ましくは３９．０６ｍｍの第２の曲率半径Ｒ１１２と、１．８５ｍｍからの範囲、好ましくは１．８５ｍｍの厚みｄ１１と、を有する。該第１の凸レンズ１０と該両凹レンズ１１は、３．３２ｍｍから４．２０ｍｍの範囲内における、３．３２ｍｍの距離Ｄ１のみ分離されることが好ましい。。距離Ｄ１は、該第１の両凸レンズ１０の光が出る面の中心頂点と該両凹レンズ１１の光が向かう面の中心頂点との間の距離として定義される。この定義は、明細書の残りの部分全体にわたって想定される。更に、前記凹凸レンズ１２は、３５．２２ｍｍから６８．３１ｍｍの範囲、好ましくは６８．３１ｍｍの第１の曲率半径Ｒ１２１と、１４．０４ｍｍから２０．４２ｍｍの範囲、好ましくは１６．７０ｍｍの第２の曲率半径Ｒ１２２と、２．２８ｍｍから３．４７ｍｍの範囲、好ましくは２．９７ｍｍの厚みｄ１２と、を有する。該両凹レンズ１１と該凹凸レンズ１２は、２．９９ｍｍから４．５２ｍｍの範囲内における、２．９９ｍｍの距離Ｄ２のみ分離されることが好ましい。前記第２の両凸レンズ１３は、４７．６３ｍｍから１５４．８５ｍｍの範囲、好ましくは１５４．８５ｍｍの第１の曲率半径Ｒ１３１と、１５．１２ｍｍから２２．７５ｍｍの範囲、好ましくは２２．７５ｍｍの第２の曲率半径Ｒ１３２と、３．５０ｍｍから４．９１ｍｍの範囲、好ましくは３．５０ｍｍの厚みｄ１３と、を有する。該凹凸レンズ１２と該第２の両凸レンズ１３とは、１．７７ｍｍから２．４８ｍｍの範囲内における、２．４８ｍｍの距離Ｄ３のみ分離されることが好ましい。
【０００８】
前記曲率半径、厚み、及びレンズ間の分離距離は、本考案に係る赤外線レーザ光源スプレッダの第２実施例を形成する際に夫々変更することができる。また、本考案の第２実施例においての、第１の両凸レンズ１０における第１の曲率半径１０１は、１７．４５ｍｍから２１．１４ｍｍの範囲、好ましくは１７．４５ｍｍであり、第２の曲率半径１０２は、２０．４９ｍｍから４８．４２ｍｍの範囲、好ましくは２０．４９ｍｍであり、厚みｄ１０は、３．３７ｍｍから３．９５ｍｍの範囲、好ましくは３．９５ｍｍである。両凹レンズ１１における第１の曲率半径１１１は、１０．１０ｍｍから１４．５５ｍｍの範囲、好ましくは１０．１０ｍｍであり、第２の曲率半径１１２は、１９．９１ｍｍから４５．５４ｍｍの範囲、好ましくは１９．９１ｍｍであり、厚みｄ１１は、１．８５ｍｍからの範囲、好ましくは１．８５ｍｍである。凹凸レンズ１２における第１の曲率半径１２１は、３５．２２ｍｍから６８．３１ｍｍの範囲、好ましくは３５．２２ｍｍであり、第２の曲率半径１２２は、１４．０４ｍｍから２０．４２ｍｍの範囲、好ましくは１４．０４ｍｍであり、厚みｄ１２は、２．２８ｍｍから３．４７ｍｍの範囲、好ましくは３．４７ｍｍである。第２の両凸レンズ１３における第１の曲率半径１３１は、４７．６３ｍｍから１５４．８５ｍｍの範囲、好ましくは４７．６３ｍｍであり、第２の曲率半径１３２は、１５．１２ｍｍから２２．７５ｍｍの範囲、好ましくは１５．１２ｍｍであり、厚みｄ１３は、３．５０ｍｍから４．９１ｍｍの範囲、好ましくは４．９１ｍｍである。更に、第２実施例における距離Ｄ１は、３．３２ｍｍから４．２０ｍｍの範囲であり、距離Ｄ２は、２．９９ｍｍから４．５２ｍｍの範囲であり、距離Ｄ３は、１．７７ｍｍから２．９９ｍｍの範囲である。
【０００９】
又、前記曲率半径、厚み、及びレンズ間の分離は、本考案に係る赤外線レーザ光源スプレッダの第３実施例を形成する際に夫々変更することができる。また、本考案の第３実施例においての、第１の両凸レンズ１０における第１の曲率半径１０１は、１７．４５ｍｍから２１．１４ｍｍの範囲、好ましくは２１．１４ｍｍであり、第２の曲率半径１０２は、２０．４９ｍｍから４８．４２ｍｍの範囲、好ましくは４８．４２ｍｍであり、厚みｄ１０は、３．３７ｍｍから３．９５ｍｍの範囲、好ましくは３．３７ｍｍである。両凹レンズ１１における第１の曲率半径１１１は、１０．１０ｍｍから１４．５５ｍｍの範囲、好ましくは１４．５５ｍｍであり、第２の曲率半径１１２は、１９．９１ｍｍから４５．５４ｍｍの範囲、好ましくは４５．５４ｍｍであり、厚みｄ１１は、１．８５ｍｍからの範囲、好ましくは１．８５ｍｍである。凹凸レンズ１２における第１の曲率半径１２１は、３５．２２ｍｍから６８．３１ｍｍの範囲、好ましくは４０．３６ｍｍであり、第２の曲率半径１２２は、１４．０４ｍｍから２０．４２ｍｍの範囲、好ましくは２０．４２ｍｍであり、厚みｄ１２は、２．２８ｍｍから３．４７ｍｍの範囲、好ましくは２．２８ｍｍである。第２の両凸レンズ１３における第１の曲率半径１３１は、４７．６３ｍｍから１５４．８５ｍｍの範囲、好ましくは５３．５３ｍｍであり、第２の曲率半径１３２は、１５．１２ｍｍから２２．７５ｍｍの範囲、好ましくは１９．７０ｍｍであり、厚みｄ１３は、３．５０ｍｍから４．９１ｍｍの範囲、好ましくは４．５０ｍｍである。第３実施例における距離Ｄ１は、３．３２ｍｍから４．２０ｍｍの範囲であり、距離Ｄ２は、２．９９ｍｍから４．５２ｍｍの範囲であり、且つ距離Ｄ３は、１．７７ｍｍから２．４８ｍｍの範囲である。
【００１０】
本考案は、その赤外線レーザ光源スプレッダの機能図である図２に示すように、赤外線レーザ光源２０からの光は、第１の両凸レンズ１０へ入射されるように射出され、その光は広げられて、両凹レンズ１１へ入射するように出る。その後、この光は更に広げられ、両凹レンズ１１によって交差し、凹凸レンズ１２に入射されるように出る。そして、凹凸レンズ１２は、この光を平行にし、更に光を広げる第２の凸レンズ１３へ入射される。
【００１１】
又、前記第２の両凸レンズ１３は、その赤外線レーザ光源スプレッダから取り外したとしても、赤外線レーザ光を広げる機能が失われることはなく、前記第２の両凸レンズ１３は、その光を更に広げるのを助長するが、ここで光を広げる必要はなく、それは、先の３個のレンズで既に達成している。
【００１２】
前記第１の両凸レンズ、両凹レンズ、凹凸レンズ、及び第２の両凸レンズを備える前記の構成を使用することによって、本考案の赤外線レーザ光源スプレッダは、ビデオカメラのための遠くに届く長距離の光源を提供できる。勿論、赤外線レーザ光源スプレッダは、ビデオ監視装置のみの使用に限定されるものではなく、長距離に達することができる光源を必要とするあらゆるシステムに適用可能である。
【００１３】
当業者は、本考案の教示を保持しながら、そのデバイスと方法の多くの改良や変更が行われ得ることに容易に気付く。従って、上記開示は、添付の請求の範囲によってのみ制限されると解釈されるべきである。
【図面の簡単な説明】
【００１４】
【図１】本考案に係る赤外線レーザ光源スプレッダの図である。
【図２】本考案に係る赤外線レーザ光源スプレッダの機能図である。
【図１】
0003135156.tif 000003
【図２】
0003135156.tif 000004
【手続補正書】
【提出日】平成19年7月13日(2007.7.13)
【手続補正１】
【補正対象書類名】明細書
【補正対象項目名】０００８
【補正方法】変更
【補正の内容】
【０００８】
前記曲率半径、厚み、及びレンズ間の分離距離は、本考案に係る赤外線レーザ光源スプレッダの第２実施例を形成する際に夫々変更することができる。また、本考案の第２実施例においての、第１の両凸レンズ１０における第１の曲率半径１０１は、１７．４５ｍｍから２１．１４ｍｍの範囲、好ましくは１７．４５ｍｍであり、第２の曲率半径１０２は、２０．４９ｍｍから４８．４２ｍｍの範囲、好ましくは２０．４９ｍｍであり、厚みｄ１０は、３．３７ｍｍから３．９５ｍｍの範囲、好ましくは３．９５ｍｍである。両凹レンズ１１における第１の曲率半径１１１は、１０．１０ｍｍから１４．５５ｍｍの範囲、好ましくは１０．１０ｍｍであり、第２の曲率半径１１２は、１９．９１ｍｍから４５．５４ｍｍの範囲、好ましくは１９．９１ｍｍであり、厚みｄ１１は、１．８５ｍｍからの範囲、好ましくは１．８５ｍｍである。凹凸レンズ１２における第１の曲率半径１２１は、３５．２２ｍｍから６８．３１ｍｍの範囲、好ましくは３５．２２ｍｍであり、第２の曲率半径１２２は、１４．０４ｍｍから２０．４２ｍｍの範囲、好ましくは１４．０４ｍｍであり、厚みｄ１２は、２．２８ｍｍから３．４７ｍｍの範囲、好ましくは３．４７ｍｍである。第２の両凸レンズ１３における第１の曲率半径１３１は、４７．６３ｍｍから１５４．８５ｍｍの範囲、好ましくは４７．６３ｍｍであり、第２の曲率半径１３２は、１５．１２ｍｍから２２．７５ｍｍの範囲、好ましくは１５．１２ｍｍであり、厚みｄ１３は、３．５０ｍｍから４．９１ｍｍの範囲、好ましくは４．９１ｍｍである。更に、第２実施例における距離Ｄ１は、３．３２ｍｍから４．２０ｍｍの範囲であり、距離Ｄ２は、２．９９ｍｍから４．５２ｍｍの範囲であり、距離Ｄ３は、１．７７ｍｍから２．４８ｍｍの範囲である。